(57)【要約】  【課題】複数個のコンテナを規則的に並べて多段積みしたコンテナ収納台において、運送時などの衝撃を緩和し、荷崩れを起こさずコンテナを確実に保持することができるコンテナ収納台を提供する。  【解決手段】複数個のコンテナ２を規則的に並べて多段積み可能な載置面と、四角形状の荷台１と、荷台１上に多段積みされた最上列のコンテナの上面部に載置可能な上部枠３と、複数の螺旋からなる、金属製ワイヤーロープのスパイラルと、このスパイラルを保持する保持具とを含んで構成される、荷台１の下面の複数箇所に設けられた防振部材５と、防振部材５を介して荷台１を保持する土台６と、荷台１と上部枠３との間に多段積みされた複数個のコンテナ２を挟んだ状態で、これらの部材の外周に設けられ、荷台１の下面と上部枠３の上面とを押さえてサンドイッチ状に締結する複数のベルト４ａを含む連結手段４とを備える。  【選択図】図１
2005239224.tif 000002
【特許請求の範囲】
【請求項１】
複数個のコンテナを規則的に並べて多段積み可能な載置面と、下面とを有し、外郭形状が四角形である荷台と、
前記荷台の載置面上に多段積みされた複数個のコンテナのうち最上列のコンテナ上面部の少なくとも一部を嵌入させた状態で、このコンテナ上面部に載置可能な上部枠と、
前記荷台の下面の複数箇所に設けられ、この荷台の衝撃を吸収するための防振部材であって、複数の螺旋からなる、金属製ワイヤーロープのスパイラルと、このスパイラルを保持する保持具とを含んで構成される防振部材と、
前記防振部材を介して前記荷台を保持する土台と、
前記荷台と前記上部枠との間に多段積みされた複数個のコンテナを挟んでこの荷台の下面とこの上部枠の上面とを押さえてサンドイッチ状に締結する、これらの部材の外周に設けられた複数のベルトを含む連結手段と、を備えたコンテナ収納台。
【請求項２】
前記上部枠の上面と前記複数のベルトとの間に、前記上部枠の上面における前記複数のベルトの方向と略直角となるように配置した一つ以上の棒状のフレームをさらに備えた請求項１に記載のコンテナ収納台。
【請求項３】
前記荷台および／または前記上部枠は、前記複数のベルトと接触する箇所に補助金具をさらに備えるとともに、この補助金具は、前記荷台および／または前記上部枠のエッジ部を覆う屈曲された折曲部を有する請求項１または請求項２に記載のコンテナ収納台。
【請求項４】
前記補助金具の前記折曲部は、前記荷台もしくは前記上部枠の水平方向に対して、外側に向かってさらに飛び出した凸部を有する請求項３に記載のコンテナ収納台。
【請求項５】
前記補助金具は、前記ベルトを係止するベルト係止部をさらに備えた請求項３または請求項４に記載のコンテナ収納台。
【請求項６】
前記防振部材は、前記荷台の下面の四隅部にその前記スパイラルの中心軸の方向がいずれも第一方向を向くように配置された第一防振部材と、前記荷台の下面の前記四隅部以外の箇所にその前記スパイラルの中心軸の方向が前記第一方向と略直交した第二方向を向くように配置された一つ以上の第二防振部材と、を含む請求項１から請求項５のいずれか一項に記載のコンテナ収納台。
【請求項７】
前記第二防振部材は、前記荷台の下面において、対向する二辺の中点同士を結んだ線上に設けられている請求項６に記載のコンテナ収納台。
【請求項８】
前記複数のベルトは、前記荷台の下面における方向が、前記防振部材の前記第一方向と略同一である請求項６または請求項７に記載のコンテナ収納台。
【請求項９】
前記土台は、前記荷台の載置面上に複数個のコンテナを多段積みして、前記上部枠を最上列の前記コンテナ上面部に載置したときに、これらの部材の周囲を囲う外枠をさらに備えた請求項１から請求項８のいずれか一項に記載のコンテナ収納台。
【発明の詳細な説明】
【技術分野】
【０００１】
本発明は、複数個のコンテナを規則的に並べて多段積みして収納するコンテナ収納台に関する。
【背景技術】
【０００２】
従来、精密機械や半導体などの製品を樹脂製のコンテナに積載し、コンテナを遠隔地に運送する場合あるいは倉庫へ一時保管する場合には、ある一定の大きさのコンテナ収納台に複数個のコンテナを多段積みにして、収納した状態で取り扱う場合が多い。このコンテナ収納台としては、図８に示すように、荷台３１と、この荷台に積まれたコンテナ３２のうち最上列に位置するものの上面に載置可能な上部枠３３と、荷台３１と上部枠３３とを連結するための連結手段３４を備えている。この連結手段３４の両端が荷台１と上部枠３３とに係止されて、荷台３１上のコンテナ３２が上部枠３３によって締め付けられる構造となり、コンテナ３２が荷台３１と上部枠３３とに挟まれて荷台３１上に保持される。この連結手段３４としては、種々の構造が可能であるが、特許文献１に示されている例では、図７に示されるように長さ調節可能なベルト３５の一端が上部枠３３に固定され、また他端には係止片３６が設けられ、荷台の側縁下端の係止部３７に係止させ、ベルト３５の長さを調節して緊張させて結束することができる。また、逆にベルトの一端が荷台に固定され、また他端には係止片が設けられ、上部枠側縁上端の係止部に係止させ、ベルトを緊張させて結束させてもよい（例えば、特許文献２）。
【特許文献１】実開平７−４０２７４号公報
【特許文献２】実開平６−５１１５１号公報
【発明の開示】
【発明が解決しようとする課題】
【０００３】
しかし、従来のような構造において、上部枠３３の両端にそれぞれ独立した連結手段を設けて、上部枠３３を下方へ押圧する場合、上部枠３３の両端にかかる荷重は均等にかかりにくいため、鉄道やトラックなどにコンテナ収納台を載置して運送した際、鉄道やトラックの運送に伴う衝撃によって、ベルト３５が容易にたわみコンテナ３２が水平方向へずれたり、係止部３７に取り付けていた係止片３６が外れたりして、荷崩れを発生する恐れがあった。
【０００４】
特に、荷台に複数個のコンテナを規則的に並べ、その上に同様にコンテナを並べた状態で多段積みする場合、コンテナ収納台に対して衝撃が加わると、ベルトによって締結されていても各コンテナが緩みやすいため、問題の解決が急務であった。
【０００５】
さらに、ベルトによって多段積みしたコンテナを締結した場合、コンテナ内に半導体基板などのように衝撃に弱いものを収容しているときには、ベルトによって締結された方向に対して、大きな衝撃が伝わりコンテナの内容物にダメージを与えるなどの問題を生ずることがあった。
【０００６】
本発明はこのような従来技術の問題点に鑑みてなされたものであり、複数個のコンテナを規則的に並べて多段積みしたコンテナ収納台において、運送時などの衝撃を緩和し、荷崩れを起こさずコンテナを確実に保持することができ、半導体基板などの衝撃に弱いものであっても好適に収納することができるコンテナ収納台を提供することを目的とする。
【課題を解決するための手段】
【０００７】
上記目的を達成するために、本発明の請求項１にかかるコンテナ収納台は、複数個のコンテナを規則的に並べて多段積み可能な載置面と、下面とを有し、外郭形状が四角形である荷台と、前記荷台の載置面上に多段積みされた複数個のコンテナのうち最上列のコンテナ上面部の少なくとも一部を嵌入させた状態で、このコンテナ上面部に載置可能な上部枠と、前記荷台の下面の複数箇所に設けられ、この荷台の衝撃を吸収するための防振部材であって、複数の螺旋からなる、金属製ワイヤーロープのスパイラルと、このスパイラルを保持する保持具とを含んで構成される防振部材と、前記防振部材を介して前記荷台を保持する土台と、前記荷台と前記上部枠との間に多段積みされた複数個のコンテナを挟んでこの荷台の下面とこの上部枠の上面とを押さえてサンドイッチ状に締結する、これらの部材の外周に設けられた複数のベルトを含む連結手段と、を備えている。
【０００８】
本発明の請求項２にかかるコンテナ収納台は、請求項１に記載のコンテナ収納台において、前記上部枠の上面と前記複数のベルトとの間に、前記上部枠の上面における前記複数のベルトの方向と略直角となるように配置した一つ以上の棒状のフレームをさらに備えている。
【０００９】
本発明の請求項３にかかるコンテナ収納台は、請求項１または請求項２に記載のコンテナ収納台において、前記荷台および／または前記上部枠は、前記複数のベルトと接触する箇所に補助金具をさらに備えるとともに、この補助金具は、前記荷台および／または前記上部枠のエッジ部を覆う屈曲された折曲部を有する。
【００１０】
本発明の請求項４にかかるコンテナ収納台は、請求項３に記載のコンテナ収納台において、前記補助金具の前記折曲部は、前記荷台もしくは前記上部枠の水平方向に対して、外側に向かってさらに飛び出した凸部を有する。
【００１１】
本発明の請求項５にかかるコンテナ収納台は、請求項３または請求項４に記載のコンテナ収納台において、前記補助金具は、前記ベルトを係止するベルト係止部をさらに備えている。
【００１２】
本発明の請求項６にかかるコンテナ収納台は、請求項１から請求項５のいずれか一項に記載のコンテナ収納台において、前記防振部材は、その前記スパイラルの中心軸の方向がいずれも第一方向を向くように前記荷台の下面の四隅部に配置された第一防振部材と、その前記スパイラルの中心軸の方向が前記第一方向と略直交した第二方向を向くように前記荷台の下面の前記四隅部以外の箇所に配置された一つ以上の第二防振部材と、を含むようにした。
【００１３】
本発明の請求項７にかかるコンテナ収納台は、請求項６に記載のコンテナ収納台において、前記第二防振部材は、前記荷台の下面において、対向する二辺の中点同士を結んだ線上に設けられている。
【００１４】
本発明の請求項８にかかるコンテナ収納台は、請求項６または請求項７に記載のコンテナ収納台において、前記複数のベルトは、前記荷台の下面における方向が、前記防振部材の前記第一方向と略同一とした。
【００１５】
本発明の請求項９にかかるコンテナ収納台は、請求項１から請求項８のいずれか一項に記載のコンテナ収納台において、前記土台は、前記荷台の載置面上に複数個のコンテナを多段積みして、前記上部枠を最上列の前記コンテナ上面部に載置したときに、これらの部材の周囲を囲う外枠をさらに備えている。
【発明の効果】
【００１６】
本発明によれば、コンテナ収納台は、複数個のコンテナを規則的に並べて多段積み可能な載置面と、下面とを有し、外郭形状が四角形である荷台と、前記荷台の載置面上に多段積みされた複数個のコンテナのうち最上列のコンテナ上面部の少なくとも一部を嵌入させた状態で、このコンテナ上面部に載置可能な上部枠と、前記荷台の下面の複数箇所に設けられ、この荷台の衝撃を吸収するための防振部材であって、複数の螺旋からなる、金属製ワイヤーロープのスパイラルと、このスパイラルを保持する保持具とを含んで構成される防振部材と、前記防振部材を介して前記荷台を保持する土台と、前記荷台と前記上部枠との間に多段積みされた複数個のコンテナを挟んでこの荷台の下面とこの上部枠の上面とを押さえてサンドイッチ状に締結する、これらの部材の外周に設けられた複数のベルトを含む連結手段と、を備えている。
【００１７】
このように多段積みしたコンテナを複数のベルトによって連結したコンテナ収納台に対して、衝撃が加わると、ベルトによって締結された方向に対しては、各コンテナの動きの自由度が少ないので、緩みにくいが衝撃が伝わりやすい。逆にベルトによって締結されていない方向に対しては、各コンテナの動きの自由度が大きいので、衝撃自体は緩和されるが、ベルトから緩んで抜けやすいという問題がある。ここで本発明の構成による、複数の螺旋からなる、金属製ワイヤーロープのスパイラルと、このスパイラルを保持する保持具とを含んで構成される防振部材は、より広い方向の衝撃を減衰させることができるので、ベルトの締結方向とは関係なく、衝撃によってベルトが緩んだり、コンテナの内容物がダメージを受けたりすることを回避できる。
【００１８】
また、前記上部枠の上面と前記複数のベルトとの間に、前記上部枠の上面において前記複数のベルトの方向と略直角となるように配置した一つ以上の棒状のフレームをさらに備えているので、ベルトを締め付けることによってフレームに下方への荷重がかかり、フレームを取り付けた上部枠にも下方への荷重が発生するため、荷崩れを起こすことなく、安全にフォークリフトによる搭載や鉄道やトラックによる運送を行うことが可能となる。
【００１９】
さらに、荷台および／または上部枠は、複数のベルトと接触する箇所に補助金具をさらに備えるとともに、この補助金具は、これらの荷台および／または上部枠のエッジ部を覆う屈曲された折曲部を有するようにしたので、ベルトを締結したときにこの折曲部によってエッジ部がカバーされるから、ベルトに対するダメージを減少させることができ、ベルトによる締結の信頼性を向上させることができる。そして、この折曲部を、荷台もしくは上部枠の水平方向に対して、外側に向かってさらに飛び出した凸部を有するように構成すれば、ベルトの締結によって生じた荷重を効率よく上部枠に伝えることができる。また、この補助金具に、ベルトを係止するベルト係止部を設けることによって、ベルトが左右にずれたりして外れることがなく確実に荷台や上部枠を押さえることができる。このような構成を有する補助金具を設けることによって、ベルトによって確実に各部材を締結することができるので、荷崩れを起こすことなく安全にフォークリフトによる搭載や鉄道やトラックによる運送を行うことが可能となる。
【００２０】
また、防振部材は、荷台の下面の四隅部にそのスパイラルの中心軸の方向がいずれも第一方向を向くように配置された第一防振部材と、荷台の下面の四隅部以外の箇所にそのスパイラルの中心軸の方向が第一方向と略直交した第二方向を向くように配置された一つ以上の第二防振部材と、を含むような構成としたので、第一方向の衝撃は第一防振部材によって、また第二方向の衝撃は第二防振部材によって緩和することができ、より広い方向から来る衝撃を確実に吸収し緩和することができる。
【００２１】
そして、この第二防振部材は、荷台の下面において、対向する二辺の中点同士を結んだ線上に設けるようにすれば、よりバランスよく水平に、また確実に荷台を保持することができる。また、この第二防振部材を複数設けるようにすれば、第一防振部材の動きを規制することができるので、振動の変位が大きい荷台の四隅部に設けた第一防振部材が振動時のスパイラル同士の摩擦や塑性変形によって衝撃吸収力が劣化したり、寿命が短くなったりすることを防ぎ、コンテナ収納台にかかるコストを抑えることできる。また、コンテナの重みによる荷台のたわみを防止し、より多くのコンテナを積載することが可能となる。
【００２２】
さらに、荷台の四隅部に設けた第一防振部材の第一方向に対して、複数のベルトの締結する方向（荷台の下面における方向）が、略同一となるようにしたことにより、荷台上に多段積みされたコンテナはベルトによって締結された方向に対しては、動きの自由度が少なく、荷台の衝撃を大きく受けるが、この方向の衝撃については四隅部に設けた第一防振部材によって確実に吸収することができる。
【００２３】
また、土台は、荷台の載置面上に複数個のコンテナを多段積みして、上部枠を最上列のコンテナ上面部に載置したときに、これらの部材の周囲を囲う外枠をさらに備えるようにしたので、フォークリフトなどでコンテナ収納台を持ち上げたとき、土台にかかるねじれの力を緩和することができ、安定してトラックにコンテナ収納台を搭載することができ、土台がしっかりとトラック内などで固定される。また、フォークリフトからコンテナ収納台が落下した際、外枠が地面と接するため、荷台に固定されているコンテナが直接地面に落下することがなく、コンテナへの衝撃を緩和することができる。また、トラックなどの運送時に直接、コンテナ同士がぶつかることがなく、より安全に運送することが可能となる。
【発明を実施するための最良の形態】
【００２４】
以下、図を用いて本発明にかかるコンテナ収納台の実施形態について説明する。
【００２５】
図１は、本発明のコンテナ収納台にかかる一実施形態を示す概略斜視図である。図１において、１は荷台、１ａは底面板、１ｂは側板、２はコンテナ（外形を点線で記す）、３は上部枠、４は連結手段、４ａはベルト、４ｂはベルト締具、５は防振部材、６は土台、７はフレーム、８は補助金具、９は外枠を示す。
【００２６】
図１に示すように、荷台１は、その外郭形状が四角形を有し、コンテナ２を積載するための載置面として底面板１ａを有している。また、この底面板１ａの周囲には、複数個のコンテナを規則的に並べて多段積みしたときに安定するように、最下部のコンテナ２のずれや横への落下を防ぐための側板１ｂを備えることが望ましい。
【００２７】
この荷台１の載置面である底面板１ａ上にコンテナ２を複数個多段積みにして、最上列のコンテナ２の上面部の少なくとも一部を嵌入させた状態で、このコンテナ２の上面部に載置可能な上部枠３が設置されている。
【００２８】
そして、複数のベルト４ａを備えた連結手段４によって荷台１の下面と上部枠３の上面とが押さえられて、多段積みされた複数個のコンテナ２がこれらによってサンドイッチ状に締結されて、荷台１上で保持される。
【００２９】
このベルト４ａは、図１に示すように、多段積みされたコンテナ２を挟んで荷台１と上部枠３と外周を一周させ、ベルト４ａの一端に設けたベルト締具４ｂにより適切な長さとなるようにして締め付ければよい。
【００３０】
図７に示すような従来の連結手段３４の構成では、上部枠３３の両端にベルト３５を設けて、上部枠３３を下方へ押圧していたが、この方法によって多段積みされた複数個のコンテナを押さえようとした場合、上部枠３３の両端にかかる荷重は均等にかかりにくいため、フォークリフトによって搭載したり、鉄道やトラックなどにコンテナ収納台を載置して運送したりする際、鉄道やトラックの運送に伴う衝撃によって、各コンテナが動いてしまい、ベルトが容易にたわんでコンテナがずれたり、係止部３７に取り付けた係止片３６が外れたりして、荷崩れを発生する可能性があった。
【００３１】
それに対して、上述のような本発明にかかる連結手段４の構成とすれば、多段積みされたコンテナ２を挟んで荷台１と上部枠３と外周を一周させたベルト４ａによって、より均等に上部枠３に荷重を伝えることができる。その結果、荷崩れを起こす可能性が減少し、より安全にフォークリフトによる搭載や鉄道やトラックによる運送を行うことが可能となる。また、従来ではベルトの取り付け箇所がそれぞれ荷台の両端に存在していたが、本発明では上部一箇所でベルト４ａを締め付けることができるので、作業が簡素化し作業効率が向上する。
【００３２】
そして、荷台１の下面の複数箇所には、この荷台１の衝撃を吸収するための防振部材５が設けられ、この防振部材５を介して土台６の上に保持されている。なお、土台７は、その底面にフォークリフトのフォークを挿入できる隙間を有することが望ましい。
【００３３】
図２（ａ）に、本発明にかかる防振部材５の斜視図を示す。この防振部材５は、一般的にはワイヤーロープ防振器（エニダイン社製）として知られているものであり、複数の螺旋からなる、金属製ワイヤーロープのスパイラル５１と、このスパイラル５１を保持する保持具５２、５３とを含んで構成されている。この金属製ワイヤーロープは、例えば鋼鉄やステンレスなどの細ワイヤーを寄り合わせたものであり、これを図２（ａ）に示すように、螺旋状に巻き回しながら、半周毎に二つの保持具５２、５３に設けられた貫通孔５２ａ、５３ａに挿通され、スパイラル５１を形成した状態で保持されている。
【００３４】
また、この保持具５２、５３には、他の部材に固定できるように、両端部に穿孔して雌ネジが切られた螺合穴５２ｂ、５３ｂなどが設けられ、図２（ｂ）の概略図に示すようにそれぞれ荷台１、土台６と固定されている。なお、この防振部材５は、スパイラル５１の中心軸方向５４に対して、最も大きな振動の減衰作用を有しているが、それ以外の方向に対しても振動の減衰効果を有しており、３次元のあらゆる方向の振動を減衰させることが可能である。
【００３５】
通常、多段積みしたコンテナ２を複数のベルト４ａによって連結したコンテナ収納台に対して、衝撃が加わると、ベルト４ａによって締結された方向に対しては、各コンテナ２の動きの自由度が少ないので、緩みにくいが衝撃が伝わりやすい。逆にベルト４ａによって締結されていない方向に対しては、各コンテナ２の動きの自由度が大きいので、衝撃自体は緩和されるが、ベルトから緩んで抜けやすいという問題がある。しかしながら、このような構成を有する防振部材５は、ワイヤーロープのフリクションとたわみを利用して、３次元の衝撃と振動を吸収可能としているため、本発明のコンテナ収納台はベルトの締結方向とは関係なく、衝撃によってベルト４ａが緩んだり、コンテナ２の内容物がダメージを受けたりすることを回避できる。
【００３６】
また、図１に示すように、上部枠３の上面と複数のベルト４ａとの間に、上部枠３の上面において複数のベルト４ａの方向と略直角となるように配置した一つ以上の棒状のフレーム７をさらに設けることが望ましい。
【００３７】
図３を用いてこのフレームの効果について説明する。図３は図１のＡ−Ａ方向からみた断面概略図であり、図３（ａ）はフレームを設けない場合、図３（ｂ）はフレームを設けた場合である。
【００３８】
上述のように本発明の構成によれば、ベルト４ａを荷台１と上部枠３の周りを一周させてベルト４ａの一端に設けたベルト締具４ｂにより締結することによって、上部枠３の両端にかかる荷重（黒矢印で示す、以下すべて同じ）を均等にかけやすくなる。しかしながら、ベルト４ａのベルト締具４ｂを上部枠３の上に設けた場合は、図３（ａ）に示されるように、ベルト４ａにより上部枠３は内側へかかる荷重が大きくなり、下方への荷重が弱く、その結果運送時における衝撃によりコンテナ２がずれ、荷崩れが発生する可能性が生ずる。
【００３９】
それに対して、図３（ｂ）に示すように、上部枠３の上にフレーム７を設け、ベルト４ａを締め付けることによって、フレーム７に下方への荷重がかかり、これにともなってフレーム７を取り付けた上部枠３にも下方への荷重が発生するため、上部枠３によりコンテナがより確実に締め付けられる。その結果、荷崩れを起こす可能性が減少し、より安全にフォークリフトによる搭載や鉄道やトラックによる運送を行うことが可能となる。
【００４０】
なお、フレーム７については、一本でも発明の効果を奏するが、図３（ｂ）に示すように二本設けて、これらのフレーム７の間にベルト締具４ｂが位置するようにすれば、より確実に本発明の効果を奏することができるので望ましい。
【００４１】
また、フレーム７は、上部枠３と一体的に形成したり、相互に金属材料で構成して溶接などによって相互を固着させたりするようにしても構わない。
【００４２】
さらに、図１に示すように、荷台１および／または上部枠３は、ベルト４ａと接する箇所に補助金具８を介してベルト４ａを締結することが望ましい。図４（ａ）に、上部枠３に設けた補助金具８の拡大斜視図を示す。このように、上部枠３のエッジ部３ａに沿うように略直角に屈曲した折曲部８ａを設けて、ベルト４ａとエッジ部３ａとが直接接触しないように構成されているので、ベルト４ａを締結したときにエッジ部３ａによるベルト４ａへのダメージを減少させることができ、ベルト４ａによる締結の信頼性を向上させることができる。またさらに、図４（ｂ）に示すように、折曲部８ａは、上部枠３の水平方向に対して、外側に向かってさらに飛び出した凸部８ｂを有するように構成すれば、ベルト４ａの締結によって生じた荷重（黒矢印）を効率よく上部枠３に伝えることができる。
【００４３】
そして、図４（ａ）、（ｂ）に示すように、この補助金具８には、ベルト４ａを係止するベルト係止部８ｃを設けることによって、ベルト４ａが左右にずれて外れることなく確実に荷台１や上部枠３を押さえることができる。
【００４４】
なお、上述の説明は、上部枠３に補助金具８を設けた例で説明したが、荷台１に設けた場合も同様であり、このような構成を有する補助金具８を荷台１や上部枠３に設けることによって、ベルト４ａによって確実に各部材を締結することができるので、荷崩れを起こすことなく安全にフォークリフトによる搭載や鉄道やトラックによる運送を行うことが可能となる。
【００４５】
荷台１や上部枠３、フレーム７、土台６は一般的に積載したコンテナの荷重に耐えられるように、スチール製などの金属を用いたほうが好ましく、荷台の底面板１ａ、また上部枠３、土台６はコンテナを保持できる範囲であれば、棒状の骨組みの組み合わせによって形成したり、部材の面に空洞部を設けたりしてもよく、これによってコンテナ収納台の軽量化を図ることができる。また、ベルト４ａの材質としては、例えばナイロン、ポリエステルなどの合成繊維や、繊維補強ゴムあるいはプラスチックなどが用いられる。
【００４６】
次に、本発明にかかる防振部材５の配置方法について、より好ましい態様について図５を用いて説明する。
【００４７】
図５（ａ）は、図１における防振部材５の周辺部を示す部分斜視図である。なお、防振部材５の位置を説明するため、便宜上、荷台１の底面板１ａを透明として表記した。
【００４８】
図５（ａ）に示すように、防振部材５は、荷台１の下面の四隅部にそのスパイラルの中心軸の方向がいずれも第一方向５４ａを向くように配置された第一防振部材５ａと、荷台１の下面の四隅部以外の箇所にそのスパイラルの中心軸の方向が第一方向５４ａと略直交した第二方向５４ｂを向くように配置された一つ以上の第二防振部材５ｂ、５ｃと、を含むような構成とすることが望ましい。このようにすれば、第一方向５４ａに対する衝撃は第一防振部材５ａによって、また第二方向５４ｂの衝撃は第二防振部材５ｂ、５ｃによって緩和することができるので、より広い方向からの衝撃を確実に緩和することができ、さらにコンテナ２の重みによる荷台１のたわみを防止し、より多くのコンテナ２を積載することが可能となるので望ましい。
【００４９】
また、第二防振部材５ｂは、荷台１の下面において、対向する二辺の中点同士を結んだ線上に設けることが望ましい。図５（ｂ）に図５（ａ）を下面から見た模式図を示す。直線Ｘ、Ｙはそれぞれ荷台１の下面の対向する二辺の中点を通る線である。このように、荷台１の四隅部に第一防振部材５ａが設けられ、直線Ｘもしくは直線Ｙの上に、第二防振部材５ｂ、５ｃが設けられている。なお、直線Ｘと直線Ｙの交点である下面の中心点に第二防振部材５ｃを設ける場合は、一つ設ければよいが、この中心点以外に第二防振部材５ｂを設ける場合は、この中心点を挟んで対称となる二箇所に設ければ、よりバランスよく水平に、また確実に荷台を保持することができるので望ましい。また第二防振部材５ｂによって、第一防振部材５ａの動きを規制することができ、振動の変位が大きい荷台１の四隅部に設けた第一防振部材５ａが振動時にスパイラル同士の摩擦や塑性変形によって衝撃吸収力が劣化したり、寿命が短くなったりすることを防ぎ、コンテナ収納台にかかるコストを抑えることできる。
【００５０】
また、図５（ａ）に示すように、ベルト４ａによって締結する方向（荷台１の下面におけるベルト４ａの方向）が、第一防振部材５ａのスパイラルの中心軸方向、すなわち第一方向５４ａと略同一とすることが望ましい。荷台１上に多段積みされたコンテナ２はベルト４ａによって締結された方向に対しては、動きの自由度が少なく、荷台１に加えられた衝撃の影響を大きく受ける。この方向の衝撃を、最も振動の吸収効果の高いスパイラルの中心軸方向、すなわち第一方向５４ａと一致させて四隅部に設けた第一防振部材５ａによって確実に吸収することができるので、コンテナ２の内容物に対してダメージを少なくすることができる。特に半導体基板のように、表面側からの衝撃に弱いものをコンテナ２に収容する際には、この基板の表面側をこの第一方向５４ａと一致させて積載することで、基板に対する衝撃を小さく緩和することができ、基板の割れを防止する効果が高い。
【００５１】
そして、本発明のコンテナ収納台において、図１に示すように、土台６は、荷台１の載置面上に複数個のコンテナ２を多段積みして、上部枠３を最上列のコンテナ２の上面部に載置したときに、これらの部材の外側から周囲を囲う外枠９をさらに備えるように構成することがより望ましい。このように、外枠９を設けることによって、フォークリフトなどでコンテナ収納台を持ち上げたとき、土台６にかかるねじれの力を緩和することができ、安定してトラックにコンテナ収納台を搭載することができ、土台６がしっかりとトラック内などで固定される。また、フォークリフトからコンテナ収納台が落下した際、外枠９が地面と接するため、荷台１に固定されているコンテナ２が直接地面に落下することがなく、コンテナ２への衝撃を緩和することができる。また、トラックなどの運送時にコンテナ収納台同士がぶつかったとき、外枠９同士がぶつかるので、直接、コンテナ２同士がぶつかることもなくより安全に運送することが可能となる。なお、外枠９も土台６と同様にスチール製などの金属を用いて構成することが好ましい。
【００５２】
なお、本発明の実施形態は上述の例にのみ限定されるものではなく、本発明の要旨を逸脱しない範囲内において種々変更を加え得ることはもちろんである。
【００５３】
例えば、防振部材５の配置については図５に示した方法に限るものではなく、図６に示すように、荷台１の下面の四隅部に防振部材５を設置するときに、第三防振部材５ｄと第四防振部材５ｅとを互い違いに組み合わせて、第三防振部材５ｄのスパイラルの中心軸方向を第三方向５４ｄ、第四防振部材５ｅのスパイラルの中心軸方向を、第三方向に対して略垂直とした第四方向５４ｅとなるようにしてもよい。
【００５４】
このようにすれば、第三防振部材５ｄは、第三方向５４ｄへの衝撃に伴いこの方向への動きが大きくなるが、第四防振部材５ｅによって、この動きを規制することができる。逆に、第四防振部材５ｅによる第四方向５４ｅへの動きは第三防振部材５ｄにより規制することができる。この結果、荷台１への３次元方向の衝撃をより確実に抑制できるので、本発明の効果を良好に奏することができるのである。
【００５５】
また、防振部材５において図７に示すように、金属製ワイヤーロープのスパイラル５１が防振部材５の中心に向かって傾いていたほうが好ましい。防振部材5は、中心軸方向５４への衝撃に伴いこの方向への動きが大きくなるが、スパイラル５１を中心線から対称に傾けることで、この動きを規制することができる。逆に、第四防振部材５ｅによる第四方向５４ｅへの動きは第三防振部材５ｄにより規制することができる。この結果、荷台１への３次元方向の衝撃をより確実に抑制できるので、本発明の効果を良好に奏することができるのである。例えば図中で、右側から衝撃があった場合、スパイラル５１は左側への動きが生じるが、中心線より左側にあるワイヤーは右側への動きに比べ左側への動きが規制されるため、防振部材は中心軸方向５４の衝撃を抑制しつつ、その方向への動きを緩和することができる。また、図７のように中心線の上（荷台側）に向かって傾いてもよいし、逆に中心線の下（土台側）に向かって傾いてもどちらでも構わない。
【図面の簡単な説明】
【００５６】
【図１】本発明のコンテナ収納台の一実施形態を示す概略斜視図である。
【図２】本発明のコンテナ収納台にかかる防振部材を示す図であり、（ａ）は斜視図、（ｂ）は実施の態様を示す概略図である。
【図３】図１のＡ−Ａ方向から見た断面概略図であり、（ａ）は本発明にかかるフレーム部材が存在しないときのベルトによる上部枠への荷重方向を示し、（ｂ）は本発明にかかるフレーム部材が存在するときのベルトによる上部枠への荷重方向を示す。
【図４】（ａ）は、本発明のコンテナ収納台にかかる補助金具の一実施形態を示す拡大斜視図であり、（ｂ）は、本発明のコンテナ収納台にかかる補助金具の別の実施形態において、ベルトによる上部枠への荷重方向を示した断面模式図である。
【図５】本発明のコンテナ収納台にかかる防振部材の一実施形態を示す図であり、（ａ）は部分斜視図、（ｂ）は（ａ）の下視図である。
【図６】本発明のコンテナ収納台にかかる防振部材の別の実施形態を示す図である。
【図７】本発明のコンテナ収納台にかかる防振部材の実施の態様の別の例を示す概略図である。
【図８】従来のコンテナ収納台を示す概略斜視図である。
【符号の説明】
【００５７】
１：荷台
１ａ：底面板
１ｂ：側板
２：コンテナ
３：上部枠
３ａ：エッジ部
４：連結手段
４ａ：ベルト
４ｂ：ベルト締具
５：防振部材
５ａ：第一防振部材
５ｂ、５ｃ：第二防振部材
５ｄ：第三防振部材
５ｅ：第四防振部材
６：土台
７：フレーム
８：補助金具
８ａ：折曲部
８ｂ：凸部
８ｃ：ベルト係止部
９：外枠
３１：荷台
３２：コンテナ
３３：上部枠
３４：連結手段
３５：ベルト
３６：係止片
３７：係止部
５１：スパイラル
５２、５３：保持具
５２ａ、５３ａ：貫通孔
５２ｂ、５３ｂ：螺合穴
５４：スパイラルの中心軸方向
５４ａ：第一方向
５４ｂ：第二方向
５４ｄ：第三方向
５４ｅ：第四方向
Ｘ：直線
Ｙ：直線
【図１】
2005239224.tif 000003
【図２】
2005239224.tif 000004
【図３】
2005239224.tif 000005
【図４】
2005239224.tif 000006
【図５】
2005239224.tif 000007
【図６】
2005239224.tif 000008
【図７】
2005239224.tif 000009
【図８】
2005239224.tif 000010